(57)【特許請求の範囲】
【請求項１】
送信側の無線通信装置が送信対象のビット系列を符号化して生成したパケット信号を送信し、受信側の無線通信装置が当該パケット信号を正常に受信したことを示すＡＣＫまたは正常に受信できなかったことを示すＮＡＣＫを返送する無線通信システムにおいて、
前記送信側の無線通信装置は、
ＮＡＣＫが返送されたパケット信号に係るビット系列を保持する送信パケット情報保持手段と、
前記送信パケット情報保持手段に保持された２以上の所定数のパケット信号に係るビット系列について排他的論理和を演算する演算手段と、
ＮＡＣＫが返送されたパケット信号の数が前記所定数となった場合に、前記演算手段による演算結果のビット系列を符号化して生成した補助的なパケット信号を送信する送信手段とを備え、
前記受信側の無線通信装置は、
受信したパケット信号の尤度情報を算出する尤度算出手段と、
ＮＡＣＫを返送したパケット信号の尤度情報を保持する受信パケット情報保持手段と、
前記補助的なパケット信号を受信した場合に、前記補助的なパケット信号の尤度情報と前記受信パケット情報保持手段に保持された前記所定数のパケット信号の尤度情報とに基づいて、前記補助的なパケット信号及びＮＡＣＫを返送した前記所定数のパケット信号を復号する復号手段とを備え、
前記復号手段は、前記補助的なパケット信号及びＮＡＣＫを返送した前記所定数のパケット信号の各尤度情報に対して前記符号化に対応する復号処理を行い、復号処理後の各尤度情報を対応するパケット信号の相互情報量に基づいて更新し、更新後の各尤度情報に対して前記演算手段による排他的論理和に相当する演算を行い、演算結果の各尤度情報を対応するパケット信号に係る前記復号処理に反映させることを特徴とする無線通信システム。
【請求項２】
請求項１に記載の無線通信システムにおいて、
前記送信側の無線通信装置は、相関がある複数のビット系列を符号化して生成した複数のパケット信号を送信し、
前記復号手段は、前記補助的なパケット信号及びＮＡＣＫを返送した前記所定数のパケット信号の各尤度情報に対して前記符号化に対応する復号処理を行う３以上の復号器を有し、復号器間において、一方の復号器による復号処理後の尤度情報を他方の復号器による復号処理後の尤度情報に基づいて更新し、更新後の尤度情報を当該他方の復号器による前記復号処理に反映させることを特徴とする無線通信システム。
【請求項３】
請求項２に記載の無線通信システムにおいて、
前記復号手段は、各復号器を環状に接続する構造、または、各復号器を全ての組み合わせで接続する構造を有し、該構造で接続された復号器間において、一方の復号器による復号処理後の尤度情報を他方の復号器による復号処理後の尤度情報に基づいて更新し、更新後の尤度情報を当該他方の復号器による前記復号処理に反映させることを特徴とする無線通信システム。
【請求項４】
送信対象のビット系列を符号化して生成されたパケット信号を受信したことに応じて、当該パケット信号を正常に受信したことを示すＡＣＫまたは正常に受信できなかったことを示すＮＡＣＫを当該パケット信号の送信元に返送する無線通信装置において、
前記送信元は、ＮＡＣＫが返送されたパケット信号の数が２以上の所定数となった場合に、これらパケット信号に係るビット系列について排他的論理和を演算し、演算結果のビット系列を符号化して生成した補助的なパケット信号を送信し、
前記無線通信装置は、
受信したパケット信号の尤度情報を算出する尤度算出手段と、
ＮＡＣＫを返送したパケット信号の尤度情報を保持する受信パケット情報保持手段と、
前記補助的なパケット信号を受信した場合に、前記補助的なパケット信号の尤度情報と前記受信パケット情報保持手段に保持された前記所定数のパケット信号の尤度情報とに基づいて、前記補助的なパケット信号及びＮＡＣＫを返送した前記所定数のパケット信号を復号する復号手段とを備え、
前記復号手段は、前記補助的なパケット信号及びＮＡＣＫを返送した前記所定数のパケット信号の各尤度情報に対して前記符号化に対応する復号処理を行い、復号処理後の各尤度情報を対応するパケット信号の相互情報量に基づいて更新し、更新後の各尤度情報に対して前記送信元による排他的論理和に相当する演算を行い、演算結果の各尤度情報を対応するパケット信号に係る前記復号処理に反映させることを特徴とする無線通信装置。
【請求項５】
送信対象のビット系列を符号化して生成されたパケット信号を受信した無線通信装置が、当該パケット信号を正常に受信したことを示すＡＣＫまたは正常に受信できなかったことを示すＮＡＣＫを当該パケット信号の送信元に返送する無線通信方法において、
前記送信元は、ＮＡＣＫが返送されたパケット信号の数が２以上の所定数となった場合に、これらパケット信号に係るビット系列について排他的論理和を演算し、演算結果のビット系列を符号化して生成した補助的なパケット信号を送信し、
前記無線通信装置は、
受信したパケット信号の尤度情報を算出する尤度算出ステップと、
ＮＡＣＫを返送したパケット信号の尤度情報をメモリに格納する受信パケット情報保持ステップと、
前記補助的なパケット信号を受信した場合に、前記補助的なパケット信号の尤度情報とＮＡＣＫを返送した前記所定数のパケット信号の尤度情報とに基づいて、前記補助的なパケット信号及びＮＡＣＫを返送した前記所定数のパケット信号を復号する復号ステップとを有し、
前記復号ステップは、前記補助的なパケット信号及びＮＡＣＫを返送した前記所定数のパケット信号の各尤度情報に対して前記符号化に対応する復号処理を行い、復号処理後の各尤度情報を対応するパケット信号の相互情報量に基づいて更新し、更新後の各尤度情報に対して前記送信元による排他的論理和に相当する演算を行い、演算結果の各尤度情報を対応するパケット信号に係る前記復号処理に反映させることを特徴とする無線通信方法。
【発明の詳細な説明】
【技術分野】
【０００１】  本発明は、主に無線通信におけるパケット信号の再送受信技術であるハイブリッド自動再送要求（以下、ＨＡＲＱ（Hybrid Automatic Repeat reQuest））に関する。
【背景技術】
【０００２】  一般に、信頼性の高い通信を行うために、受信側が送信側に対し、パケット信号を正常受信したことを示すＡＣＫ（ACKnowledgement）または正常に受信できなかったことを示すＮＡＣＫ（Negative-ACK）を通知するメッセージを送信側へ返し、送信側では受信側が正しく受信するまで若しくは既定の送信回数になるまで再送を繰り返す自動再送要求（以下、ＡＲＱ（Automatic Repeat reQuest）を行う。【０００３】  また、再送時にインタリーブパターンやパンクチャパターンを変更して再送し、受信側で前時刻にて正しく受信できなかった信号と再送信号を用いて処理することで、実装コストは高くなるが受信性能が改善されるＨＡＲＱも利用されている。
【先行技術文献】
【非特許文献】
【０００４】
【非特許文献１】“Outage Probability Analyses of HARQ with M-in-1 XORed Packet Using Theorem of Source Coding with a Helper”, IEICE Technical Report, vol.115, no.396, RCS2015-326, pp.253-258, 2016年1月.
【発明の概要】
【発明が解決しようとする課題】
【０００５】  しかしながら、再送が繰り返されるような伝搬路環境においては、送信パケット数をＭとすると、ＨＡＲＱによる総送信パケット数は２Ｍとなり、スループットが１／２へ低下する。【０００６】  本発明は、上記のような従来の事情に鑑みて為されたものであり、再送が繰り返されるような伝搬路環境においてスループットを改善することが可能な技術を提供することを目的とする。
【課題を解決するための手段】
【０００７】  本発明に係る無線通信システムは、送信側の無線通信装置が送信対象のビット系列を符号化して生成したパケット信号を送信し、受信側の無線通信装置が当該パケット信号を正常に受信したことを示すＡＣＫまたは正常に受信できなかったことを示すＮＡＣＫを返送する。  送信側の無線通信装置は、ＮＡＣＫが返送されたパケット信号に係るビット系列を保持する送信パケット情報保持手段と、送信パケット情報保持手段に保持された２以上の所定数のパケット信号に係るビット系列について排他的論理和を演算する演算手段と、ＮＡＣＫが返送されたパケット信号の数が所定数となった場合に、演算手段による演算結果のビット系列を符号化して生成した補助的なパケット信号を送信する送信手段とを備える。  受信側の無線通信装置は、受信したパケット信号の尤度情報を算出する尤度算出手段と、ＮＡＣＫを返送したパケット信号の尤度情報を保持する受信パケット情報保持手段と、補助的なパケット信号を受信した場合に、補助的なパケット信号の尤度情報と受信パケット情報保持手段に保持された所定数のパケット信号の尤度情報とに基づいて、補助的なパケット信号及びＮＡＣＫを返送した所定数のパケット信号を復号する復号手段とを備える。  復号手段は、補助的なパケット信号及びＮＡＣＫを返送した所定数のパケット信号の各尤度情報に対して符号化に対応する復号処理を行い、復号処理後の各尤度情報を対応するパケット信号の相互情報量に基づいて更新し、更新後の各尤度情報に対して演算手段による排他的論理和に相当する演算を行い、演算結果の各尤度情報を対応するパケット信号に係る復号処理に反映させる。【０００８】  ここで、上記の無線通信システムにおいて、送信側の無線通信装置は、相関がある複数のビット系列を符号化して生成した複数のパケット信号を送信し、復号手段は、補助的なパケット信号及びＮＡＣＫを返送した所定数のパケット信号の各尤度情報に対して符号化に対応する復号処理を行う３以上の復号器を有し、復号器間において、一方の復号器による復号処理後の尤度情報を他方の復号器による復号処理後の尤度情報に基づいて更新し、更新後の尤度情報を当該他方の復号器による復号処理に反映させる構成にしても良い。【０００９】  また、復号手段は、各復号器を環状に接続する構造、または、各復号器を全ての組み合わせで接続する構造を有し、該構造で接続された復号器間において、一方の復号器による復号処理後の尤度情報を他方の復号器による復号処理後の尤度情報に基づいて更新し、更新後の尤度情報を当該他方の復号器による前記復号処理に反映させる構成にしても良い。【００１０】  なお、本発明は、上記のような無線通信システムを構成する送信側または受信側の無線通信装置として把握することができる。また、上記のような無線通信システムにより実施される無線通信方法や、送信側または受信側の無線通信装置により実施される無線通信方法として把握することもできる。
【発明の効果】
【００１１】  本発明によれば、再送が繰り返されるような伝搬路環境においてスループットを改善することが可能となる。
【図面の簡単な説明】
【００１２】
【図１】本発明の第一の実施例に係る無線通信システムの構成を示す機能ブロック図である。
【図２】本発明の第一の実施例におけるヘルパーパケット生成部の構成を示す機能ブロック図である。
【図３】本発明の第一の実施例における符号化部の構成を示す機能ブロック図である。
【図４】本発明の第一の実施例における復号部の構成を示す機能ブロック図である。
【図５】本発明の第一の実施例の方式と従来方式の通信方法の比較を示す図である。
【図６】本発明の第二の実施例に係る無線通信システムの構成を示す機能ブロック図である。
【図７】本発明の第二の実施例におけるヘルパーパケット生成部の構成を示す機能ブロック図である。
【図８】本発明の第二の実施例における復号部の構成を示す機能ブロック図である。
【図９】本発明の第二の実施例の方式と従来方式の通信方法の比較を示す図である。
【図１０】本発明の第三の実施例に係る無線通信システムの構成を示す機能ブロック図である。
【図１１】本発明の第三、第四の実施例におけるヘルパーパケット生成部の構成を示す機能ブロック図である。
【図１２】本発明の第三の実施例における復号部の構成を示す機能ブロック図である。
【図１３】本発明の第三、第四の実施例の方式と従来方式の通信方法の比較を示す図である。
【図１４】本発明の第四の実施例に係る無線通信システムの構成を示す機能ブロック図である。
【図１５】本発明の第四の実施例における復号部の構成を示す機能ブロック図である。
【図１６】本発明の第四の実施例における復号器間ＬＬＲ更新部の構成を示す機能ブロック図である。
【発明を実施するための形態】
【００１３】  以下、本発明を実施するための形態について図面を用いて説明する。下記の各実施例は単に例示的なものであり、本発明を制限するものではない。
【実施例１】
【００１４】  本発明に係る無線通信システムは、パケット信号の送信側となる無線通信装置と、パケット信号の受信側となる無線通信装置とを有する。  図１に本発明の第一の実施例に係る無線通信システムの機能ブロック図を示す。第一の実施例は、再送すべきパケット数ｍ＝２に対してヘルパーパケット１個の構成である。第一の実施例では、ＮＡＣＫが返ってきたパケット数が２個になったときにヘルパーパケットを送信する。【００１５】  第一の実施例における送信側の無線通信装置は、符号化部１０１−１，１０１−２と、送信信号格納メモリ１０２−１〜１０２−ｍ（＝２）と、ヘルパーパケット生成部１０３と、送信信号選択器１０４と、変調器１０５と、送受信信号切替器１０６−１と、送受信アンテナ１０７−１と、フィードバック用復調器１１４と、フィードバック用復号器１１５とを備える。第一の実施例における受信側の無線通信装置は、送受信アンテナ１０７−２と、送受信信号切替器１０６−２と、復調器１０８と、復号部１０９と、パケットエラーチェック器１１０と、復調信号格納メモリ１１１−１〜１１１−ｍ（＝２）と、フィードバック用符号化器１１２と、フィードバック用変調器１１３とを備える。なお、本実施例では、簡潔性のために、ＡＲＱ方式の一例として「Ｓｔｏｐ＆Ｗａｉｔ方式」を用いて説明している。【００１６】  符号化部１０１−１，１０１−２は、入力されたビット系列Ｕに対して符号化を行い、その結果の符号化ビット系列Ｖを出力する。具体的には、第１の符号化部１０１−１は、現時刻の送信対象である本線送信パケットのビット系列Ｕ0を符号化して符号化ビット系列Ｖを出力する。第２の符号化部１０１−２は、ヘルパーパケットのビット系列Ｕhelpを符号化して符号化ビット系列Ｖhelpを出力する。ヘルパーパケットは、後述するように、現時刻より前に送信してＮＡＣＫが返ってきたｍ個のパケット信号のビット系列に基づいて生成される。符号化部１０１−１，１０１−２の詳細について、図２を用いて説明する。【００１７】  図２に本発明の第一の実施例における符号化部１０１−１，１０１−２の構成を示す。以下では、符号化部１０１−１，１０１−２をまとめて符号化部１０１−ｎと表記する。符号化部１０１−ｎは、情報ビット領域ビットインタリーバ２０１と、符号化器２０２と、符号化ビット領域ビットインタリーバ２０３とを備える。【００１８】  情報ビット領域ビットインタリーバ２０１は、符号化部１０１−ｎに入力されたビット系列Ｕnを所定の順序に並び替えて、その結果を出力する。この情報ビット領域ビットインタリーバ２０１は、後述する復号部１０９内でのヘルパーパケットの復号器との情報ビット領域でのビット尤度情報のやりとりに用いる。なお、インタリーブパターンは符号化部１０１−ｎ毎に異なっても良い。【００１９】  符号化器２０２は、情報ビット領域ビットインタリーバ２０１による並び替え後のビット系列に誤り訂正符号化を行い、その結果を出力する。【００２０】  符号化ビット領域ビットインタリーバ２０３は、誤り訂正符号化後のビット系列を所定の順序に並び替えて、その結果を符号化ビット系列Ｖnとして出力する。この符号化ビット領域ビットインタリーバ２０３は、各パケット内で閉じるインタリーバであり、符号化ビットの領域である。なお、インタリーブパターンは符号化部１０１−ｎ毎に異なっても良い。【００２１】  送信信号格納メモリ１０２−１〜１０２−ｍは、ヘルパーパケット生成のため、現時刻より前に送信してＮＡＣＫとなったｍ個のパケット信号のビット系列Ｕ1〜Ｕmを保持する。【００２２】  ヘルパーパケット生成部１０３は、送信信号格納メモリ１０２−１〜１０２−ｍに保持されたｍ個のパケット信号のビット系列Ｕ1〜Ｕmを用いて、ヘルパーパケットのビット系列Ｕhelpを生成する。ヘルパーパケット生成部１０３の詳細について、図３を用いて説明する。【００２３】  図３にヘルパーパケット生成部１０３の構成を示す。ヘルパーパケット生成部１０３は、排他的論理和演算器３０１−１を備える。【００２４】  ヘルパーパケット生成部１０３は、送信信号格納メモリ１０２−１〜１０２−ｍに保持されたＮＡＣＫが返ってきたパケット信号の各ビットに対して、排他的論理和演算器３０１−１により次式に示すような排他的論理和演算を行い、演算結果をヘルパーパケットのビット系列として出力する。第一の実施例では、ＮＡＣＫが返ってきた２個のパケット信号の排他的論理和をヘルパーパケットとしている。【数１】
0006608057.tif 000002
なお、再送すべきパケット数ｍ＝１のときは、Ｕhelp＝Ｕ1であり、通常のＨＡＲＱと同じになるのは自明である。本発明は、ｍ≧２であるとき、その効果を発揮する。
【００２５】  送信信号選択器１０４は、符号化部１０１−１から出力される本線送信パケットのビット系列Ｖ、または、符号化部１０１−２から出力されるヘルパーパケットのビット系列Ｖhelpのいずれかを選択する。【００２６】  変調器１０５は、送信信号選択器１０４で選択されたビット系列Ｖ’が入力され、ビット系列Ｖ’に対して所定の変調処理を行って、変調結果の信号Ｘを出力する。【００２７】  送受信切替器１０６−１，２は、通常のデータ送受信時とフィードバックデータ送受信時で接続先を切り替える。具体的には、送受信切替器１０６−１は、通常のデータ送受信時は送受信アンテナ１０７−１と変調器１０５とを接続し、フィードバックデータ送受信時は送受信アンテナ１０７−１とフィードバック用復調器１１４とを接続する。送受信切替器１０６−２は、通常のデータ送受信時は送受信アンテナ１０７−２と復調器１０８を接続し、フィードバックデータ送受信時は送受信アンテナ１０７−２とフィードバック用変調器１１３とを接続する。【００２８】  送受信アンテナ１０７−１，２は、通信対象となる信号を無線により送信あるいは受信する。具体的には、送受信アンテナ１０７−１，２は、通常のデータ送受信時は本線送信パケットまたはヘルパーパケットの信号を送受し、フィードバックデータ送受信時はフィードバック用の信号を送受する。【００２９】  復調器１０８は、送受信アンテナ１０７−２により受信された信号Ｙを復調し、復調結果としてＬＬＲ（Log Likelihood Ratio：ビット対数尤度比）を出力する。【００３０】  復号部１０９は、ヘルパーパケットのパケット信号を受信した場合に、ヘルパーパケットのパケット信号（現時刻の受信パケット）のＬＬＲ系列Ｌ0及び現時刻より前に受信してＮＡＣＫを返したｍ個のパケット信号のＬＬＲＬ1〜Ｌmを用いて誤り訂正復号を行い、復号結果のビット系列Ｕ^0〜Ｕ^mを出力する。【００３１】  図４に第一の実施例における復号部１０９の構成を示す。復号部１０９は、符号化ビット領域ＬＬＲデインタリーバ４０１−ｉと、誤り訂正復号器４０２−ｉと、情報ビット領域ＬＬＲデインタリーバ４０３−ｉと、硬判定器４０４−ｉと、ＬＬＲ更新器Ａ  ４０５−ｉと、ｂｏｘｐｌｕｓ４０６と、情報ビット領域ＬＬＲインタリーバ４０７−ｉとを備える。ここで、ｉ＝０〜ｍ（但し、ｍ＝２）である。また、ｉ＝０は現時刻に受信したヘルパーパケットのパケット信号に対応し、ｉ＝１〜ｍは現時刻より前に受信してＮＡＣＫを返したパケット信号に対応する。【００３２】  符号化ビット領域ＬＬＲデインタリーバ４０１−ｉは、入力されたＬＬＲ系列Ｌiについて、符号化ビット領域ビットインタリーバ２０３で並び替えられた順序に対応するＬＬＲ系列の順序を元の順序に戻す処理を行い、その結果のＬＬＲ系列ＬDca,iを出力する。【００３３】  誤り訂正復号器４０２−ｉは、符号化ビット領域ＬＬＲデインタリーバ４０１−ｉから出力されたＬＬＲ系列ＬDca,iについて誤り訂正復号を行い、その結果のＬＬＲ系列ＬDue,iを出力する。この誤り訂正復号には、後述する情報ビット領域ＬＬＲインタリーバ４０７−ｉから出力されるＬＬＲ系列ＬDua,iがフィードバックされる。【００３４】  情報ビット領域ＬＬＲデインタリーバ４０３���ｉは、誤り訂正復号結果のＬＬＲ系列ＬDue,iについて、情報ビット領域ビットインタリーバ２０１で並び替えられた順序に対応するＬＬＲ系列の順序を元の順序に戻す処理を行い、その結果のＬＬＲ系列Ｌ'ue,iを出力する。【００３５】  硬判定器４０４−ｉは、情報ビット領域ＬＬＲデインタリーバ４０３−ｉから出力されたＬＬＲ系列Ｌ'ue,iを硬判定し、その判定結果を復号結果のビット系列Ｕ^iとして出力する。硬判定は、例えば、ＬＬＲの符号ビットを抽出すればよい。【００３６】  ＬＬＲ更新部Ａ  ４０５−ｉは、情報ビット領域ＬＬＲデインタリーバ４０３−ｉから出力されたＬＬＲ系列Ｌ'ue,iを用いて、次式に従いＬＬＲを更新し、その結果のＬＬＲ系列Ｌ~ue,iを出力する。【数２】
0006608057.tif 000003
ここで、Ｌin＝Ｌ'ue,iであり、Ｌout＝Ｌ~ue,iである。また、ｐ^eはビット誤り率の推定値であり、標準偏差σDと相誤差関数ｅｒｆｃ（・）を用いて次式により計算される。
【数３】
0006608057.tif 000004
ここで、標準偏差σDはＪ−ｆｕｎｃｔｉｏｎの逆関数Ｊ-1（・）と相互情報量ＩDiを用いて次式により計算される。
【数４】
0006608057.tif 000005
相互情報量ＩDiは、入力されたＬＬＲ系列を用いて、例えば、次式により計算される。
【数５】
0006608057.tif 000006
ここで、Ｈb（・）はバイナリエントロピー関数である。
【００３７】  ｂｏｘｐｌｕｓ４０６は、ＬＬＲ更新部Ａ  ４０５−ｉの各々から出力されたｍ＋１個のＬＬＲ系列Ｌ~ue,iに対してｂｏｘｐｌｕｓ操作を行い、その結果としてｍ＋１個のＬＬＲ系列Ｌ'ua,iを出力する。ｂｏｘｐｌｕｓ操作は、次式に従いＬＬＲを算出する。ｂｏｘｐｌｕｓ操作は、ＬＬＲ領域における排他的論理和の演算に相当する。【数６】
0006608057.tif 000007
【００３８】  情報ビット領域ＬＬＲインタリーバ４０７−ｉは、ｂｏｘｐｌｕｓ４０６から出力されたＬＬＲ系列Ｌ'ua,iを、情報ビット領域ビットインタリーバ２０１で並び替えた順序と同一の順序で並び替える処理を行い、その結果のＬＬＲ系列ＬDua,iを出力する。情報ビット領域ＬＬＲインタリーバ４０７−ｉから出力されたＬＬＲ系列ＬDua,iは、誤り訂正復号器４０２−ｉにフィードバックされる。【００３９】  以上の第一の実施例の復号部では、ＮＡＣＫを返した２個のパケット信号の復号結果とヘルパーパケットのパケット信号の復号結果をやりとりして誤り訂正能力を高めている。【００４０】  パケットエラーチェック器１１０は、現時刻に受信したパケット信号の復号結果のビット系列Ｕ^0に対して、例えば、ＣＲＣ（Cyclic Redundancy Check：巡回冗長検査）のようなエラーチェックを行い、エラーがなければＡＣＫを、エラーが検出されればＮＡＣＫを含むフィードバック信号を出力する。【００４１】  復調信号格納メモリ１１１−１〜１１１−ｍは、現時刻より前に受信してＮＡＣＫが検出されたｍ個のパケット信号の復調結果のＬＬＲ系列Ｌ1〜Ｌmを保持する。【００４２】  フィードバック用符号器１１２は、ＡＣＫ／ＮＡＣＫを含むフィードバック用信号に対して誤り訂正符号化を行い、その結果のフィードバック用信号ＶFBを出力する。【００４３】  フィードバック用変調器１１３は、誤り訂正符号化されたＡＣＫ／ＮＡＣＫを含むフィードバック用信号ＶFBに対して変調処理を行って、変調結果の信号ＸFBを出力する。【００４４】  フィードバック用復調器１１４は、第２の無線通信装置から送信されて第１の無線通信装置が受信した、フィードバックされたＡＣＫ／ＮＡＣＫを含むフィードバック用信号ＹFBに対して復調処理を行い、復調結果ＬFBを出力する。【００４５】  フィードバック用復号器１１５は、フィードバックされたＡＣＫ／ＮＡＣＫを含むフィードバック用信号の復調結果ＬFBに対して誤り訂正処理を行う。【００４６】  以上の第一の実施例により、ＮＡＣＫが返された２個のパケットに対して１個のヘルパーパケットを送信することにより、ＮＡＣＫが返されたパケットにおいて従来方式に比べてスループットが向上する。【００４７】  図５に第一の実施例の方式と従来方式の通信方法の比較を示す。図５に示すように、従来の通信方式では、ＮＡＣＫとなった送信パケットＵ1，Ｕ2毎に再送パケットＵ'1，Ｕ'2を送信するため、４回のパケット送信が発生していた。これに対し、第一の実施例の通信方式では、これら２個の送信パケットＵ1，Ｕ2に対して１個のヘルパーパケットＵhelpを送信すればよいため、３回のパケット送信で済む。したがって、第一の実施例の通信方式によれば、従来の通信方式に比べて４／３倍のスループット向上が可能となる。また、本実施例では、簡潔性のためにＡＲＱ方式の一例として最も動作が単純な「Ｓｔｏｐ＆Ｗａｉｔ方式」を用いて説明したが、本発明はこれ以外のＡＲＱ方式でも適用可能であることは明らかである。
【実施例２】
【００４８】  図６に本発明の第二の実施例の機能ブロック図を示す。第二の実施例は、再送すべきパケット数ｍ＝３に対してヘルパーパケット１個の構成である。第二の実施例では、ＮＡＣＫが返ってきたパケット数が３個になったときにヘルパーパケットを送信する。なお、本実施例では、簡潔性のために、ＡＲＱ方式の一例として「Ｓｔｏｐ＆Ｗａｉｔ方式」を用いて説明している。【００４９】  第二の実施例における送信側の無線通信装置は、符号化部１０１−１，１０１−２と、送信信号格納メモリ１０２−１〜１０２−ｍ（＝３）と、ヘルパーパケット生成部５０１と、送信信号選択器１０４と、変調器１０５と、送受信信号切替器１０６−１と、送受信アンテナ１０７−１と、フィードバック用復調器１１４と、フィードバック用復号器１１５とを備える。第二の実施例における受信側の無線通信装置は、送受信アンテナ１０７−２と、送受信信号切替器１０６−２と、復調器１０８と、復号部５０２と、パケットエラーチェック器１１０と、復調信号格納メモリ１１１−１〜１１１−ｍ（＝３）と、フィードバック用符号化器１１２と、フィードバック用変調器１１３とを備える。【００５０】  符号化部１０１−１，１０１−２と、送信信号格納メモリ１０２〜１０２−ｍと、送信信号選択器１０４と、変調器１０５と、送受信信号切替器１０６−１，１０６−２と、送受信アンテナ１０７−１，１０７−２と、復調器１０８と、パケットエラーチェック器１１０と、復調信号格納メモリ１１１〜１１１−ｍと、フィードバック用符号化器１１２と、フィードバック用変調器１１３と、フィードバック用復調器１１４と、フィードバック用復号器１１５は、第一の実施例と同一であるため、説明は省略する。【００５１】  図７に第二の実施例におけるヘルパーパケット生成部５０１の構成を示す。第二の実施例では、ＮＡＣＫが返ってきた３個のパケット信号のビット系列Ｕ1，Ｕ2，Ｕ3の排他的論理和を、２個の排他的論理和演算器３０１−１，３０１−２を用いて演算し、その結果をヘルパーパケットＶhelpとして出力する。【００５２】  図８に第二の実施例における復号部５０２の構成を示す。復号部５０２は、符号化ビット領域ＬＬＲデインタリーバ４０１−ｉと、誤り訂正復号器４０２−ｉと、情報ビット領域ＬＬＲデインタリーバ４０３−ｉと、硬判定器４０４−ｉと、ＬＬＲ更新器Ａ  ４０５−ｉと、ｂｏｘｐｌｕｓ４０６と、情報ビット領域ＬＬＲインタリーバ４０７−ｉとを備える。ここで、ｉ＝０〜ｍ（但し、ｍ＝３）である。各構成要素は第一の実施例と同一であるため、説明は省略する。【００５３】  第二の実施例の復号部５０２では、ＮＡＣＫを返した３個のパケット信号の復号結果とヘルパーパケットのパケット信号の復号結果をやりとりして誤り訂正能力を高めている。【００５４】  以上の第二の実施例により、ＮＡＣＫが返された３個のパケットに対して１個のヘルパーパケットを送信することにより、ＮＡＣＫが返されたパケットにおいて従来方式に比べてスループットが向上する。【００５５】  図９に第二の実施例の方式と従来方式の通信方法の比較を示す。図９に示すように、従来の通信方式では、ＮＡＣＫとなった送信パケットＵ1，Ｕ2，Ｕ3毎に再送パケットＵ'1，Ｕ'2，Ｕ'3を送信するため、６回のパケット送信が発生していた。これに対し、第二の実施例の通信方式では、これら３個の送信パケットＵ1，Ｕ2，Ｕ3に対して１個のヘルパーパケットＵhelpを送信すればよいため、４回のパケット送信で済む。したがって、第二の実施例の通信方式によれば、従来の通信方式に比べて３／２倍のスループット向上が可能となる。また、本実施例では、簡潔性のためにＡＲＱ方式の一例として最も動作が単純な「Ｓｔｏｐ＆Ｗａｉｔ方式」を用いて説明したが、本発明はこれ以外のＡＲＱ方式でも適用可能であることは明らかである。
【実施例３】
【００５６】  図１０に本発明の第三の実施例の機能ブロック図を示す。第三の実施例は、再送すべきパケット数ｍ＝Ｍ（但し、Ｍは２以上の自然数）に対してヘルパーパケット１個の構成である。第三の実施例は、再送すべきパケット数ｍを一般化したものである。第三の実施例では、ＮＡＣＫが返ってきたパケット数がＭ個になったときにヘルパーパケットを送信する。なお、本実施例では、簡潔性のために、ＡＲＱ方式の一例として「Ｓｔｏｐ＆Ｗａｉｔ方式」を用いて説明している。【００５７】  第三の実施例における送信側の無線通信装置は、符号化部１０１−１，１０１−２と、送信信号格納メモリ１０２−１〜１０２−ｍ（＝Ｍ）と、ヘルパーパケット生成部６０１と、送信信号選択器１０４と、変調器１０５と、送受信信号切替器１０６−１と、送受信アンテナ１０７−１と、フィードバック用復調器１１４と、フィードバック用復号器１１５とを備える。第三の実施例における受信側の無線通信装置は、送受信アンテナ１０７−２と、送受信信号切替器１０６−２と、復調器１０８と、復号部６０２と、パケットエラーチェック器１１０と、復調信号格納メモリ１１１−１〜１１１−ｍ（＝Ｍ）と、フィードバック用符号化器１１２と、フィードバック用変調器１１３とを備える。【００５８】  符号化部１０１−１，１０１−２と、送信信号格納メモリ１０２−１〜１０２−ｍと、送信信号選択器１０４と、変調器１０５と、送受信信号切替器１０６−１，１０６−２と、送受信アンテナ１０７−１，１０７−２と、復調器１０８と、パケットエラーチェック器１１０と、復調信号格納メモリ１１１−１〜１１１−ｍと、フィードバック用符号化器１１２と、フィードバック用変調器１１３と、フィードバック用復調器１１４と、フィードバック用復号器１１５は、これまでの実施例と同一であるため、説明は省略する。【００５９】  図１１に第三の実施例におけるヘルパーパケット生成部６０１の構成を示す。第三の実施例では、ＮＡＣＫが返ってきたＭ個の送信パケットのビット系列Ｕ1〜ＵMの排他的論理和を、Ｍ−１個の排他的論理和演算器３０１−１〜３０１−（Ｍ−１）を用いて演算し、その結果をヘルパーパケットＶhelpとして出力する。【００６０】  図１２に第三の実施例における復号部６０２の構成を示す。復号部６０２は、符号化ビット領域ＬＬＲデインタリーバ４０１−ｉと、誤り訂正復号器４０２−ｉと、情報ビット領域ＬＬＲデインタリーバ４０３−ｉと、硬判定器４０４−ｉと、ＬＬＲ更新器Ａ  ４０５−ｉと、ｂｏｘｐｌｕｓ４０６と、情報ビット領域ＬＬＲインタリーバ４０７−ｉとを備える。ここで、ｉ＝０〜ｍ（但し、ｍ＝Ｍ）である。各構成要素はこれまでの実施例と同一であるため、説明は省略する。【００６１】  第三の実施例の復号部６０２では、ＮＡＣＫを返したＭ個のパケット信号の復号結果とヘルパーパケットのパケット信号の復号結果をやりとりして誤り訂正能力を高めている。【００６２】  以上の第三の実施例により、ＮＡＣＫが返されたＭ個のパケットに対して１個のヘルパーパケットを送信することにより、ＮＡＣＫが返されたパケットにおいて従来方式に比べてスループットが向上する。【００６３】  図１３に第三の実施例の方式と従来方式の通信方法の比較を示す。図１３に示すように、従来の通信方式では、ＮＡＣＫとなった送信パケットＵ1〜ＵM毎に再送パケットＵ'1〜Ｕ'Mを送信するため、２Ｍ回のパケット送信が発生していた。これに対し、第三の実施例の通信方式では、これらＭ個のＵ1〜ＵMに対して１個のヘルパーパケットＵhelpを送信すればよいため、Ｍ＋１回のパケット送信で済む。したがって、第三の実施例の通信方式によれば、従来の通信方式に比べて２Ｍ／（Ｍ＋１）倍のスループット向上が可能となる。また、本実施例では、簡潔性のためにＡＲＱ方式の一例として最も動作が単純な「Ｓｔｏｐ＆Ｗａｉｔ方式」を用いて説明したが、本発明はこれ以外のＡＲＱ方式でも適用可能であることは明らかである。
【実施例４】
【００６４】  図１４に本発明の第四の実施例の機能ブロック図を示す。第四の実施例は、各パケット信号の情報源（送信対象のビット系列）に相関がある場合において、再送すべきパケット数ｍ＝Ｍ（但し、Ｍは２以上の自然数）に対してヘルパーパケット１個の構成である。第四の実施例では、ＮＡＣＫが返ってきたパケット数がＭ個になったときにヘルパーパケットを送信する。なお、本実施例では、簡潔性のために、ＡＲＱ方式の一例として「Ｓｔｏｐ＆Ｗａｉｔ方式」を用いて説明している。【００６５】  第四の実施例における送信側の無線通信装置は、符号化部１０１−１，１０１−２と、送信信号格納メモリ１０２−１〜１０２−ｍ（＝Ｍ）と、ヘルパーパケット生成部６０１と、送信信号選択器１０４と、変調器１０５と、送受信信号切替器１０６−１と、送受信アンテナ１０７−１と、フィードバック用復調器１１４と、フィードバック用復号器１１５とを備える。第四の実施例における受信側の第２の無線通信装置は、送受信アンテナ１０７−２と、送受信信号切替器１０６−２と、復調器１０８と、復号部７０１と、パケットエラーチェック器１１０と、復調信号格納メモリ１１１−１〜１１１−ｍ（＝Ｍ）と、フィードバック用符号化器１１２と、フィードバック用変調器１１３とを備える。【００６６】  符号化部１０１−１，１０１−２と、送信信号格納メモリ１０２−１〜１０２−ｍと、送信信号選択器１０４と、変調器１０５と、送受信信号切替器１０６−１，１０６−２と、送受信アンテナ１０７−１，１０７−２と、復調器１０８と、パケットエラーチェック器１１０と、復調信号格納メモリ１１１−１〜１１１−ｍと、フィードバック用符号化器１１２と、フィードバック用変調器１１３と、フィードバック用復調器１１４と、フィードバック用復号器１１５は、これまでの実施例と同一であるため、説明は省略する。また、ヘルパーパケット生成部６０１は、第三の実施例と同一であるため、説明は省略する。【００６７】  図１５に第四の実施例における復号部７０１の構成を示す。復号部７０１は、符号化ビット領域ＬＬＲデインタリーバ４０１−ｉと、誤り訂正復号器４０２−ｉと、情報ビット領域ＬＬＲデインタリーバ４０３−ｉと、硬判定器４０４−ｉと、ＬＬＲ更新器Ａ  ４０５−ｉと、ｂｏｘｐｌｕｓ４０６と、情報ビット領域ＬＬＲインタリーバ４０７−ｉと、復号器間ＬＬＲ更新部８０１−ｉとを備える。ここで、ｉ＝０〜ｍ（＝Ｍ）である。符号化ビット領域ＬＬＲデインタリーバ４０１−ｉと、誤り訂正復号器４０２−ｉと、情報ビット領域ＬＬＲデインタリーバ４０３−ｉと、硬判定器４０４−ｉと、ＬＬＲ更新器Ａ  ４０５−ｉと、ｂｏｘｐｌｕｓ４０６と、情報ビット領域ＬＬＲインタリーバ４０７−ｉは、これまでの実施例と同一であるため、説明は省略する。【００６８】  なお、図１５中の点線の誤り訂正復号器４０２−（Ｍ＋１）は実線の誤り訂正復号器４０２−（Ｍ＋１）と同一のものであり、復号器間ＬＬＲ更新部８０１−（Ｍ−１）を介して誤り訂正復号器４０２−１と接続されていることを示しており、便宜上の表現である。【００６９】  図１５では各誤り訂正復号器４０２−ｉを環状に接続したリング型（数珠つなぎ型）の接続構造として��るが、例えば、各誤り訂正復号器４０２−ｉを全ての組み合わせで接続するスター型（全結合型）の接続構造であってもよいし、なんらかの接続で全ての誤り訂正復号器４０２−ｉがつながっていれば良い。【００７０】  図１６に復号器間ＬＬＲ更新部８０１−ｉの構成を示す。復号器間ＬＬＲ更新部８０１−ｉは、情報ビット領域ＬＬＲデインタリーバ４０３−ｉと、情報ビット領域ＬＬＲインタリーバ４０７−ｉと、ＬＬＲ更新器Ｂ  ９０１−１，９０１−２とを備える。情報ビット領域ＬＬＲデインタリーバ４０３−ｉと情報ビット領域ＬＬＲインタリーバ４０７−ｉはこれまでの実施例と同一であるため、説明は省略する。【００７１】  ＬＬＲ更新器Ｂ  ９０１−１は、情報ビット領域ＬＬＲデインタリーバ４０３−ｉから出力されたＬＬＲを更新し、その結果を情報ビット領域ＬＬＲインタリーバ４０７−（ｉ−１）へ出力する。ＬＬＲ更新器Ｂ  ９０１−２は、情報ビット領域ＬＬＲデインタリーバ４０３−（ｉ−１）から出力されたＬＬＲを更新し、その結果を情報ビット領域ＬＬＲインタリーバ４０７−ｉへ出力する。【００７２】  ＬＬＲ更新器Ｂ  ９０１−１，９０１−２は、入力されたＬＬＲを用いて、次式に従いＬＬＲを更新する。【数７】
0006608057.tif 000008
ここで、ｐ^ijは、復号器間の情報ビットの排他的論理和をとった時に１となる確率である。ｐ^ijは、各復号器から入力されるＬＬＲをＬi，Ｌjとし、それぞれの硬判定値をｕ^i、ｕ^jとするとき、例えば、次式により計算される。
【数８】
0006608057.tif 000009
ここで、Ｐr（ｘ）はｘが１となる確率である。
【００７３】  このように復号器間でＬＬＲをやりとりするのは、各パケット信号の情報源（送信対象のビット系列）に相関があることを利用しているため可能である。【００７４】  以上の第四の実施例により、第三の実施例で示した２Ｍ／（Ｍ＋１）倍のスループット向上とともに、情報源の相関を利用して復号器間でのＬＬＲを更新することで、受信特性の向上が可能となる。また、本実施例では、簡潔性のためにＡＲＱ方式の一例として最も動作が単純な「Ｓｔｏｐ＆Ｗａｉｔ方式」を用いて説明したが、本発明はこれ以外のＡＲＱ方式でも適用可能であることは明らかである。【００７５】  以上説明したように、各実施例に係る無線通信システムは、概略的に、送信側の無線通信装置が送信対象のビット系列を符号化して生成したパケット信号を送信し、受信側の受信装置が当該パケット信号を正常に受信したことを示すＡＣＫまたは正常に受信できなかったことを示すＮＡＣＫを返送する。【００７６】  送信側の無線通信装置は、次のように動作する。すなわち、送信信号格納メモリ（１０２−１〜１０２−Ｍ）が、ＮＡＣＫが返送されたパケット信号に係るビット系列を保持する。排他的論理和演算器（３０１−１〜３０１−（Ｍ−１））が、送信信号格納メモリに保持された２以上の所定数のパケット信号に係るビット系列について排他的論理和を演算する。符号化部（１０１−２）〜送受信アンテナ（１０７−１）が、ＮＡＣＫが返送されたパケット信号の数が所定数となった場合に、排他的論理和演算器による演算結果であるヘルパーパケットのビット系列を符号化して生成した補助的なパケット信号を送信する。【００７７】  具体的には、符号化部は次のような処理を行う。すなわち、情報ビット領域ＬＬＲインタリーバ（２０１）が、排他的論理和演算器による演算結果のビット系列に対し、所定の順序に並び替える処理を行う。符号化器（２０２）が、並び替え処理後のビット系列に対し、誤り訂正符号化処理を行う。符号化ビット領域ＬＬＲインタリーバ（２０３）が、誤り訂正符号化後のビット系列に対し、所定の順序に並び替える処理を行う。【００７８】  受信側の無線通信装置は、次のように動作する。すなわち、復調器（１０８）が、受信したパケット信号の尤度情報（本例ではＬＬＲ系列）を算出する。復調信号格納メモリ（１１１−１〜１１１−Ｍ）が、ＮＡＣＫを返送したパケット信号の尤度情報を保持する。復号部（６０２）が、ヘルパーパケットのパケット信号を受信した場合に、ヘルパーパケットのパケット信号の尤度情報と復調信号格納メモリに保持された所定数のパケット信号の尤度情報とに基づいて、ヘルパーパケットのパケット信号及びＮＡＣＫを返送した所定数のパケット信号を復号する。【００７９】  具体的には、復号部において次のような処理を行う。すなわち、符号化ビット領域ＬＬＲデインタリーバ（４０１−１〜４０１−（Ｍ＋１））が、ヘルパーパケットのパケット信号及びＮＡＣＫを返送した所定数のパケット信号の各尤度情報に対して、送信側の符号化部内の符号化ビット領域ビットインタリーバ（２０３）で並び替えられた順序に対応する各尤度情報の順序を元の順序に戻す処理を行う。誤り訂正復号器（４０２−１〜４０２−（Ｍ＋１））が���並び順序戻し後の各尤度情報に対して、送信側の符号化部内の符号化器（２０２）による誤り訂正符号化処理に対応する誤り訂正復号処理を行う。情報ビット領域ＬＬＲデインタリーバ（４０３−１〜４０３−（Ｍ＋１））が、誤り訂正復号後の各尤度情報に対して、送信側の符号化部内の情報ビット領域ビットインタリーバ（２０１）で並び替えられた順序に対応する各尤度情報の順序を元の順序に戻す処理を行う。ＬＬＲ更新部Ａ（４０５−１〜４０５−（Ｍ＋１））が、並び順序戻し後の各尤度情報を、該尤度情報に対応するパケット信号の相互情報量に基づいて更新する。相互情報量に基づく更新は、例えば、相互情報量に応じたビット誤り率の推定値を用いて行われる。ｂｏｘｐｌｕｓ（４０６）が、更新後の各尤度情報に対して、送信側のヘルパーパケット生成部による排他的論理和に相当する演算であるｂｏｘｐｌｕｓ操作を行う。情報ビット領域ＬＬＲインタリーバ（４０７−１〜４０７−（Ｍ＋１））が、ｂｏｘｐｌｕｓ操作後の各尤度情報を、送信側の符号化部内の情報ビット領域ＬＬＲインタリーバ（２０１）で並び替えた順序と同一の順序で並び替える処理を行う。並び替え後の各尤度情報は、該尤度情報に対応する誤り訂正復号器にフィードバックされ、その誤り訂正復号器の処理内容に反映される。【００８０】  以上のように、ＮＡＣＫとなったＭ個のパケットに代えて、これらパケットの排他的論理和に基づく１個のヘルパーパケットを送信する構成にすることで、従来の通信方式に比べて２Ｍ／（Ｍ＋１）倍のスループット向上を実現している。また、ヘルパーパケットの復号器とＮＡＣＫを返したパケットの各復号器との間で、ｂｏｘｐｌｕｓを介して尤度情報をやり取りすることで、誤り訂正性能の向上を実現している。【００８１】  更に、第四の実施例に係る無線通信システムでは、送信側の無線通信装置において、相関がある複数のビット系列を符号化して生成した複数のパケット信号を送信する場合には、受信側の無線通信装置の復号部（７０１）では、次のように動作する。すなわち、誤り訂正復号器間において、復号器間ＬＬＲ更新部（８０１−１〜８０１−（Ｍ＋１））が、一方の誤り訂正復号器による復号後の尤度情報を他方の誤り訂正復号器による復号処理後の尤度情報に基づいて更新し、更新後の尤度情報を当該他方の誤り訂正復号器による復号処理に反映させる。【００８２】  具体的には、復号器間ＬＬＲ更新部において次のような処理を行う。すなわち、情報ビット領域ＬＬＲデインタリーバ（４０３−１〜４０３−（Ｍ＋１））が、一方の誤り訂正復号器による処理後の尤度情報（以下、第１尤度情報）に対して、送信側の符号化部内の情報ビット領域ビットインタリーバ（２０１）で並び替えられた順序に対応する各尤度情報の順序を元の順序に戻す処理を行う。情報ビット領域ＬＬＲデインタリーバは、他方の誤り訂正復号器による処理後の尤度情報（以下、第２尤度情報）に対しても同様に、元の順序に戻す処理を行う。ＬＬＲ更新部Ｂ（９０１−１，９０１−２）が、並び順序戻し後の第１尤度情報を、並び順序戻し後の第２尤度情報に基づいて更新する。ＬＬＲ更新部Ｂは、並び順序戻し後の第２尤度情報についても同様に、並び順序戻し後の第１尤���情報に基づいて更新する。情報ビット領域ＬＬＲインタリーバ（４０７−１〜４０７−（Ｍ＋１））が、更新後の第１尤度情報を、送信側の符号化部内の情報ビット領域ＬＬＲインタリーバ（２０１）で並び替えた順序と同一の順序で並び替える処理を行う。情報ビット領域ＬＬＲインタリーバは、更新後の第２尤度情報についても同様に、並び替える処理を行う。並び替え後の第１尤度情報は、前記他方の誤り訂正復号器に出力され、その誤り訂正復号器の処理内容に反映される。また、並び替え後の第２尤度情報は、前記一方の誤り訂正復号器に出力され、その誤り訂正復号器の処理内容に反映される。【００８３】  以上のように、各パケット信号の情報源（送信対象のビット系列）に相関がある場合には、ｂｏｘｐｌｕｓを介さずに、誤り訂正復号器間で尤度情報を直接やり取りできる構成を追加できる。これにより、受信特性を向上させることが可能となる。  なお、誤り訂正復号器間を復号器間ＬＬＲ更新部により接続する構造としては、各誤り訂正復号器を環状に接続するリング型（数珠つなぎ型）、各誤り訂正復号器を全ての組み合わせで接続するスター型（全結合型）など、種々の接続構造を用いることができる。【００８４】  ここで、本発明に係るシステムや装置などの構成としては、必ずしも以上に示したものに限られず、種々な構成が用いられてもよい。  また、本発明は、例えば、本発明に係る処理を実行する方法或いは方式や、このような方法や方式を実現するためのプログラムや当該プログラムを記憶する記憶媒体などとして提供することも可能である。
【産業上の利用可能性】
【００８５】  本発明は、パケット信号の再送受信を行う種々の形式の無線通信システムに利用することができる。
【符号の説明】
【００８６】  １０１−１，１０２−２…符号化部、１０２−１〜１０２−Ｍ…送信信号格納メモリ、１０３…第一の実施例のヘルパーパケット生成部、１０４…送信信号選択器、１０５…変調器、１０６−１，１０６−２…送受信信号切替器、１０７−１，１０７−２…送受信アンテナ、１０８…復調器、１０９…第一の実施例の復号部、１１０…パケットエラーチェック器、１１１−１〜１１１−Ｍ…復調信号格納メモリ、１１２…フィードバック用符号化器、１１３…フィードバック用変調器、１１４…フィードバック用復調器、１１５…フィードバック用復号器、２０１…情報ビット領域ビットインタリーバ、２０２…符号化器、２０３…符号化ビット領域ビットインタリーバ、３０１−１〜３０１−（Ｍ−１）…排他的論理和演算器、４０１−１〜４０１−（Ｍ＋１）…符号化ビット領域ＬＬＲデインタリーバ、４０２−１〜４０２−（Ｍ＋１）…誤り訂正復号器、４０３−１〜４０３−（Ｍ＋１）…情報ビット領域ＬＬＲデインタリーバ、４０４−１〜４０４−（Ｍ＋１）…硬判定器、４０５−１〜４０５−（Ｍ＋１）…ＬＬＲ更新部Ａ、４０６…ｂｏｘｐｌｕｓ、４０７−１〜４０７−（Ｍ＋１）…情報ビット領域ＬＬＲインタリーバ、５０１…第二の実施例のヘルパーパケット生成部、５０２…第二の実施例の復号部、６０１…第三及び第四の実施例のヘルパーパケット生成部、６０２…第三の実施例の復号部、７０１…第四の実施例の復号部、８０１−１〜８０１−（Ｍ＋１）…復号器間ＬＬＲ更新部、９０１−１，９０１−２…ＬＬＲ更新部Ｂ
【図１】
0006608057.tif 000010
【図２】
0006608057.tif 000011
【図３】
0006608057.tif 000012
【図４】
0006608057.tif 000013
【図５】
0006608057.tif 000014
【図６】
0006608057.tif 000015
【図７】
0006608057.tif 000016
【図８】
0006608057.tif 000017
【図９】
0006608057.tif 000018
【図１０】
0006608057.tif 000019
【図１１】
0006608057.tif 000020
【図１２】
0006608057.tif 000021
【図１３】
0006608057.tif 000022
【図１４】
0006608057.tif 000023
【図１５】
0006608057.tif 000024
【図１６】
0006608057.tif 000025